(57)【要約】【課題】  携帯電話によりユーザが自社サイトに入会・登録することにより自社サイトの自写（自分の顔写真）を基としてユーザの希望する総合美容のサービスとこの具現化のためのサービスを受けることができる携帯電話による総合美容サイトを提供する。【解決手段】  ユーザ端末（携帯電話）より自社サイトに入会登録して自写を構築した後、ユーザの希望する第１選択端末サイトから第５選択端末サイトのサービスをユーザ自身が画面上で自由に、かつ簡単にでき、所望の総合美容サービスを受け、この貼り付け自写を基にメーカ等の広告・宣伝等のサービスを受けることができる。【選択図】  図２
2009276946.tif 000002
【特許請求の範囲】
【請求項１】
携帯電話の自写（自分の顔写真）を基にしてユーザの所望する形態や情報を画面上で加工・表示や発信する総合美容サイトであって、該サイトは、携帯電話のカメラ端末（以下、自社サイトと言う）に前記ユーザの入会登録を基として動作する第１乃至第５選択端末サイトを構築するものからなり、前記第１選択端末サイトは、入会登録による前記自写形成のサイトからなり、前記第２選択端末サイトは、前記第１選択端末サイトの前記自写に各種美容に関する種々の加工をするものからなり、前記第３選択端末サイトは、前記第２選択端末サイトの選択加工内容を更に細かく選択して前記ユーザの希望する最終的な美容形態を形成するものからなり、前記第４選択端末サイトは、前記第３選択端末サイトによる美容形態を前記自写に貼り付けるものからなり、前記第５選択端末サイトは、前記第４選択端末サイトによる貼り付け自写を実際に具現化するために必要な各種のサービスサイトからなることを特徴とする携帯電話による総合美容サイト。
【請求項２】
前記第２選択端末サイトが、整形，ファッション，コスメ・メイク，ダイエット，エステ，ヘアメーク，エクステン等からなることを特徴とする請求項１に記載の携帯電話による総合美容サイト。
【請求項３】
前記第３選択端末サイトが、前記整形については胸，頭，ヒップ等からなり、前記ファッションについては春物，夏物，秋物，冬物等とからなり、前記メイク・コスメについては頬ベニ，まつ毛，口紅等からなり、前記ダイエットについては、体重別，スリム，ポッチャリ等とからなり、前記エステについては、脱毛，ヒップアップ，美顔，美肌等とからなり、前記ヘアメークについては、髪形，薄毛，栄養，ツヤ等とからなり、前記エクステンについては各種カツラ類に関するものからなることを特徴とする請求項２に記載の携帯電話による総合美容サイト。
【請求項４】
前記第４選択端末サイトが、前記第２及び第３選択端末サイトによるユーザの最終的の美容形態を自写に貼り付けるものからなることを特徴とする請求項１乃至３のいずれかに記載の携帯電話による総合美容サイト。
【請求項５】
前記第５選択端末サイトが、メーカ，サービス機関，広告，宣伝，アドバイス等とからなることを特徴とする請求項１に記載の携帯電話による総合美容サイト。
【発明の詳細な説明】
【技術分野】
【０００１】
本発明は、自写に構築される美容に関するすべてのサイトに係り、画面上にユーザの希望する美容形態を自分で構築して形成し、更に、この具現化のための各種サービスを可能とする携帯電話による総合美容サイトに関する。
【背景技術】
【０００２】
ユーザ特に女性の多くは自分を変身させて綺麗にする夢やその具現化を希望する。しかしながら、この希望を簡単に具現化することは中々自分一人では出来ない場合が多い。
一方、最近ではインターネットや携帯電話が多くの人々によって愛用され、特に、若者にとっては日常品として不可欠のものになっている。従って、このインターネットや携帯電話を用いて自分の夢を実現することが可能であれば、極めて便利であり、喜ばしいものとなる。
そのためのサイトとしては、数多くのものがあり、以下に説明する本発明と比較的似ているものとして「特許文献１」や「特許文献２」が挙げられる。
【特許文献１】特開２００２−１９７３３０号（図１）
【特許文献２】特開２００４−２５９０３４号（図３）
【発明の開示】
【発明が解決しようとする課題】
【０００３】
「特許文献１」の「特開２００２−１９７３３０号」の「美容院・理容室にてのデザインシステム及び顧客管理予約方法」は、「ユーザ端末」と「美容院・理容室端末」とを「インターネット」を介して連結すると共に販売店・レンタル店端末とも連結するものである。注文者がユーザ端末を用いて美容院・理容室端末の髪型，髪色，装飾品，服装を基にこれを自分の好みに合成，加工，デザインしてインターネット端末を介して美容院・理容室端末に送出し、美容院等は必要な商品を販売店等に発注し、注文者は自分の好みにデザインされた注文データの商品を受け取るようにしたものである。
また、「特許文献２」の「特開２００４−２５９０３４号」の「画像修正システム、画像修正方法、およびカウンセリング提供サーバ」は形態端末を利用してネットワークを介して顔写真の修正サービスをするものである。
【０００４】
前記「特許文献１」及び「特許文献２」は本発明と似ている点があるが、「特許文献１」はインターネットを利用するものであり、また、自写をベースとするものでなく、そのサービス内容も限定しているものからなる。また、「特許文献２」は携帯電話を利用し、撮影した顔写真をベースとするものではあるが、この自写は「自社サイト」によって形成したものでなく、ユーザの写真を基にしてユーザの修正指示に従って修正指示受付部によって写真修正を行いユーザに修正後の顔写真を表示送付するものである。
【０００５】
以上のように、従来の技術は夫々特徴を有するものではあるが、自社サイトによる自写を基としてユーザが各種の美容形態を自由に自写に付加して最終的の所望の美容形態を作り上げて具現化するものではない。
【０００６】
本発明は、以上の事情に鑑みて発明されたものであり、入会登録によって自社サイトと自写を作成し、これを基にして自社サイト側から提供されている選択端末サイトにより自写に種々の美容加工を付加し、自分の希望とする美容形態を形成し、更にこの形態を具現化するサービスを可能とする携帯電話による総合美容サイトを提供することを目的とする。
【課題を解決するための手段】
【０００７】
本発明は、以上の目的を達成するために、請求項１の発明は、携帯電話の自写（自分の顔写真）を基にしてユーザの所望する形態や情報を画面上で加工・表示や発信する総合美容サイトであって、該サイトは、携帯電話のカメラ端末（以下、自社サイトと言う）に前記ユーザの入会登録を基として動作する第１乃至第５選択端末サイトを構築するものからなり、前記第１選択端末サイトは、入会登録による前記自写形成のサイトからなり、前記第２選択端末サイトは、前記第１選択端末サイトの前記自写に各種美容に関する種々の加工をするものからなり、前記第３選択端末サイトは、前記第２選択端末サイトの選択加工内容を更に細かく選択して前記ユーザの希望する最終的な美容形態を形成するものからなり、前記第４選択端末サイトは、前記第３選択端末サイトによる美容形態を前記自写に貼り付けるものからなり、前記第５選択端末サイトは、前記第４選択端末サイトによる貼り付け自写を実際に具現化するために必要な各種のサービスサイトからなることを特徴とする。
【０００８】
また、請求項２の発明は、前記第２選択端末サイトが、整形，ファッション，コスメ・メイク，ダイエット，エステ，ヘアメーク，エクステン等からなることを特徴とする。
【０００９】
また、請求項３の発明は、前記第３選択端末サイトが、前記整形については胸，頭，ヒップ等からなり、前記ファッションについては春物，夏物，秋物，冬物等とからなり、前記メイク・コスメについては頬ベニ，まつ毛，口紅等からなり前記ダイエットについては、体重別，スリム，ポッチャリ等とからなり、前記エステについては、脱毛，ヒップアップ，美顔，美肌等とからなり、前記ヘアメークについては、髪形，薄毛，栄養，ツヤ等とからなり、前記エクステンについては各種カツラ類に関するものからなることを特徴とする。
【００１０】
また、請求項４の発明は、前記第４選択端末サイトが、前記第２及び第３選択端末サイトによるユーザの最終的の美容形態を自写に貼り付けるものからなることを特徴とする。
【００１１】
また、請求項５の発明は、前記第５選択端末サイトが、メーカ，サービス機関，広告，宣伝，アドバイス等とからなることを特徴とする。
【発明の効果】
【００１２】
本発明の請求項１の携帯電話による総合美容サイトによれば、ユーザは自社サイトに入会登録することにより種々の加工表示の可能な自写（顔写真）を画面上に表示することができ、それ以後は自社サイトで構築されている第１乃至第５選択端末サイトを利用して自分の所望する種々の加工・表示をし、この具現化を実施することができる。即ち、自分の携帯電話を用いて自由に、かつ簡単に自分の所望する美容形態を形成し、これを具現化することが可能となる。
【００１３】
また、本発明の請求項２乃至４の携帯電話による総合美容サイトによれば、加工・表示の具体的内容及びこの具現化の内容が明治され、ユーザは自分の希望するサービスを簡単に、かつ自分で実現することができる。このサービスは低額の入会費により可能となり、携帯電話を所有しているすべてのユーザに適用され、その利用範囲は極めて広い。
【００１４】
また、本発明の請求項５の携帯電話による総合美容サイトによれば、ユーザは所望する最終的な美容形態について具現化のための色々のサービスを簡単に受けることができる。
【発明を実施するための最良の形態】
【００１５】
以下、本発明の携帯電話による総合美容サイトの実施の形態を図面を参照して詳述する。
ここで図１は本発明のユーザ端末や自社サイトの接続系統を示す構成図であり、図２は本発明の加工・表示及び具現化の流れを示すフローチャートであり、図３乃至図８は本発明の実施例を示す模式的説明図である。
【００１６】
図１において携帯電話であるユーザ端末１は自社サイト２に連結される。この自社サイト２には入会登録部３と、自写形成部４と、第１乃至第５選択端末サイトを有する選択端末サイト部５と、メーカや広告・宣伝機関７と連結する具現化部６等からなる。図示のようにユーザ端末１は以上の構成の自社サイト２と往復形態で連結されると共に、自社サイト２はメーカや広告・宣伝機関７と往復形態で夫々連結（無線連結）されている。一方、ユーザ端末１もメーカや広告・宣伝機関７と直接往復形態（点線で示す）で連結されている。以上の接続系統図によりユーザは図２のフローチャートで示すサービスを受けることができる。
【００１７】
次に、図２のフローチャートを説明する。ユーザ８はまず自社サイト２に入会し登録される（ステップ１００）。これにより第１選択端末サイトより以下のサービスを可能にする自写が携帯電話の画面上に形成される（ステップ１０１）。
次に、第２選択端末サイトから第４選択端末サイトまでのサービスが行われ（１０２〜１０４）、第５選択端末サイトにより各種具現化が行われる（ステップ１０５）。
【実施例１】
【００１８】
以下、前記のフローチャートに従った１つの実施例を図３乃至図８により説明する。この実施例１は本発明の内容を分り易くするものであり、本発明は以下の説明に限定するものではない。
まず、図３は第１選択端末サイトを示すもので自社サイトへの入会登録及び自写の形成を示す。図４は携帯電話上での自写を示し、この顔写真の横にはユーザの選択する各種のキーが表示される。例えば、髪型，ヘアーメーク，ダイエット等の項目が表示される。勿論、この内容に限定するものではない。
【００１９】
次に、図４において、例えば、ヘアーメークのキーを押すと、図５に示す画像及びその横に各種のキーが表示された画面となる。この画面で自写の形態が少なく変化しているが勿論、これに限定するものではない。また、キーとしては髪型やツヤが表示されているが勿論これに限定するものではない。
【００２０】
次に、図５のキーの髪型を選択すると、図６に示すような各種の髪型が画面上に表示される。ここでロングヘアーを選択すると図７に示すように図５に示した自写にロングヘアーが付加された画面が表示される。この画面の横にはその具現化のための色々のキーが例えばメーカやサービス機関や広告・宣伝に関するキーが表示される。例えば、図７で広告・宣伝のキーを選択すると図８に示すようにその店の価格や割引金額や特徴等が表示される。以上により、ユーザ８は携帯電話上で自由に、かつ簡単に自写を基としたサービスを設けることができる。また、具現化しなくても遊び感覚のサービスを受けることができる。
【実施例２】
【００２１】
図９乃至図１２は前記の図４においてダイエットを選択した場合の実施例を示す。なお、図９は図４に相当するものである。ダイエットを選択すると図１０に示すように自写の横にスリム，体，モデル，ポッチャリ等のキーが示され、ここでスリムを選択すると図１１に示すように重量別と体型別の表示がされる。ここで例えば、５０ｋｇでは体型を選択すると図１２に示すように自写の下にその体型が表示される。なお、この画面には次の具現化のサービスを受けるためのキー、例えば、エステ，スポーツ，サプリ，イメージ等の表示がされ、希望の具現化のためのサービスを受けることができる。
【００２２】
以上に示すように、本発明は自写を基にしたユーザの希望する各種の総合美容に関するサービスを簡単に受けることができ、また、その具現化を可能とするサービスを受けることが容易にできる。
【産業上の利用可能性】
【００２３】
本発明は、単に遊び感覚に限るものでよく、自分の希望する総合美容の具現化ができ、老若男女を問わず、極めて広い層の希望する美容が具現化され、結果として極めて広い利用範囲での実現が可能となり、産業の発展に大きく貢献することになる。
【図面の簡単な説明】
【００２４】
【図１】本発明の携帯電話による総合美容サイトの接続系統図。
【図２】本発明の携帯電話による総合美容サイトの動作を示すフローチャート。
【図３】自社サイトの入会，登録，自写を示す説明図。
【図４】本発明の第２選択端末サイトを示す説明図。
【図５】本発明の第３選択端末サイトを示す説明図。
【図６】本発明の第３選択端末サイトの選択実施例を示す説明図。
【図７】本発明の第４選択端末サイトを示す説明図。
【図８】本発明の第５の選択端末サイトを示す説明図。
【図９】本発明の図４と同じほかの実施例を示す説明図。
【図１０】本発明の図５と同じ他の実施例を示す説明図。
【図１１】本発明の図６と同じ他の実施例を示す説明図。
【図１２】本発明の図７と同じ他の実施例を示す説明図。
【符号の説明】
【００２５】
１  ユーザ端末
２  自社サイト
３  入会登録部
４  自写形成部
５  選択端末サイト部
６  具現化部
７  メーカや広告・宣伝機関
８  ユーザ
【図１】
2009276946.tif 000003
【図２】
2009276946.tif 000004
【図３】
2009276946.tif 000005
【図４】
2009276946.tif 000006
【図５】
2009276946.tif 000007
【図６】
2009276946.tif 000008
【図７】
2009276946.tif 000009
【図８】
2009276946.tif 000010
【図９】
2009276946.tif 000011
【図１０】
2009276946.tif 000012
【図１１】
2009276946.tif 000013
【図１２】
2009276946.tif 000014